(57)【要約】【課題】建物の利用者を屋内から半屋外空間へ適切に誘導できる、建物の制御システムを提供すること。【解決手段】建物１１には、その屋内空間部１２に隣接してバルコニー１３が設けられている。屋内空間部１２には、ユーザが所持する携帯機Ｋとの通信を通じて、その携帯機Ｋに登録されたユーザ固有の識別情報及びユーザ嗜好情報を取得する無線通信装置３３が設けられている。また、バルコニー１３には、そこでの環境情報を取得する環境情報取得装置３４が設けられている。コントローラ３１は、その両情報に基づいて、屋内空間部１２からバルコニー１３へ移動することの適否を判断する。移動不適と判断されると、コントローラ３１は、バルコニー１３に設けられた各装置２１〜２３の駆動を制御して、そのこでの環境を変化させる。【選択図】図１
2011236690.tif 000002
【特許請求の範囲】
【請求項１】
半屋外空間を備えた建物に適用され、前記建物での人の移動の適否を判断する制御システムにおいて、
屋内に存在していて、その屋内から前記半屋外空間へ移動しようとする人に関する個人情報を取得する個人情報取得手段と、
前記半屋外空間での半屋外環境情報を取得する半屋外環境情報取得手段と、
前記個人情報と前記半屋外環境情報とに基づいて、人が屋内から前記半屋外空間へ移動することの適否を判断する判断手段と、
を備えたことを特徴とする建物の制御システム。
【請求項２】
前記半屋外空間での環境を変化させる半屋外環境形成手段と、
前記判断手段によって前記半屋外空間への移動が不適と判断された場合に、前記個人情報に基づいて、前記半屋外環境形成手段の駆動を制御する制御手段と、
を備えたことを特徴とする請求項１に記載の建物の制御システム。
【請求項３】
前記建物の利用者によって個別に所持され、その所持する利用者に付与される個別の識別情報と、利用者ごとの前記半屋外空間の環境に関する嗜好情報とが記憶された携帯型通信装置を備え、
前記判断手段は、前記識別情報を取得した場合に前記移動の適否を判断するようにし、また、前記制御手段は、前記個人情報取得手段が取得した前記個人情報としての前記嗜好情報に基づいて、前記半屋外環境形成手段の駆動を制御することを特徴とする請求項２に記載の建物の制御システム。
【請求項４】
前記建物の利用者が複数存在する場合に、その利用者間での優先順位を設定する設定手段を備え、
前記個人情報取得手段が同時に複数の前記識別情報を取得した場合、前記制御手段は、前記優先順位により優先される利用者の嗜好情報に基づいて、前記半屋外環境形成手段を制御することを特徴とする請求項３に記載の建物の制御システム。
【請求項５】
前記建物の利用者が前記半屋外空間への移動する時刻又は時間帯を予測する移動予測手段を備え、
前記制御手段は、前記予測された時刻又は時間帯に、前記半屋外環境形成手段の駆動を制御する請求項２乃至４のいずれか１項に記載の建物の制御システム。
【請求項６】
前記半屋外環境形成手段は、前記半屋外空間に向けて水を噴霧する水噴霧手段を含むことを特徴とする請求項２乃至５のいずれか１項に記載の建物の制御システム。
【請求項７】
前記半屋外環境形成手段は、前記半屋外空間に向けて香りを発生させる香り発生手段を含むことを特徴とする請求項２乃至６のいずれか１項に記載の建物の制御システム。
【請求項８】
前記半屋外環境形成手段は、前記半屋外空間に風を発生させる風発生手段を含むことを特徴とする請求項２乃至７のいずれか１項に記載の建物の制御システム。
【請求項９】
前記半屋外空間は屋根部を有しており、前記半屋外環境形成手段は、前記半屋外空間の天井部分に設けられてその下方へシャワー状に水を降らせる降水手段を含むことを特徴とする請求項２乃至８のいずれか１項に記載の建物の制御システム。
【発明の詳細な説明】
【技術分野】
【０００１】
本発明は、建物の制御システムにかかり、特に、屋内からバルコニー等の半屋外空間へ移動することの適否を判断する技術に関する。
【背景技術】
【０００２】
従来から、住宅等の建物では、バルコニー、ベランダ及びテラス等の半屋外空間が設けられることが一般的となっている。このような半屋外空間は、建物の外壁部から張り出すように設置されたり、下階部分の上方に設置されたりする。例えば、後者の設置態様に関しては、車庫の上方スペースを利用する構成が提案されている（例えば、特許文献１参照）。
【０００３】
このような半屋外空間は、多目的なスペースとして利用される。例えば、洗濯物を干す等の作業スペースとしては勿論、バーベキュー等の食事を楽しんだり、夜に天体観測を楽しんだり、外を眺めながら休息するといった娯楽・休息スペースとしても利用される。
【先行技術文献】
【特許文献】
【０００４】
【特許文献１】特開平６−３１７０３３号公報
【発明の概要】
【発明が解決しようとする課題】
【０００５】
ところで、半屋外空間は屋外と通じているため、その半屋外空間の環境は屋外環境に左右される。つまり、夏季における屋外の気温や湿度の高さとか、冬季における屋外の気温の低さがそのまま半屋外空間にも反映される。
【０００６】
このような半屋外空間での環境について、屋外から遮断された屋内において把握することは困難である。そのため、半屋外空間を娯楽・休息スペースとして利用しようとする場合に、現状での環境状態を把握しないまま屋内からその半屋外空間に出ると、快適とはいえない環境下に不意にさらされることになってしまう。
【０００７】
そこで、本発明は、建物の利用者を屋内から半屋外空間へ適切に誘導できる、建物の制御システムの提供を主たる目的とするものである。
【課題を解決するための手段】
【０００８】
本発明は、上記課題を解決するために、以下の手段を採用した。
【０００９】
すなわち、第１の発明では、半屋外空間を備えた建物に適用され、前記建物での人の移動の適否を判断する制御システムにおいて、屋内に存在していて、その屋内から前記半屋外空間へ移動しようとする人に関する個人情報を取得する個人情報取得手段と、前記半屋外空間での半屋外環境情報を取得する半屋外環境情報取得手段と、前記個人情報と前記半屋外環境情報とに基づいて、人が屋内から前記半屋外空間へ移動することの適否を判断する判断手段と、を備えた。
【００１０】
この第１の発明によれば、半屋外空間への移動の適否判断において、移動に適していると判断された場合にその移動を促すようにすれば、建物の利用者を屋内から半屋外空間へ適切に誘導できる。そして、この移動適否の判断では、利用者の嗜好情報や生体情報等の個人情報が考慮されるため、利用者にとって快適となる半屋外空間へ誘導できることになる。これにより、半屋外空間を娯楽・休息等のスペースとして利用しやすくすることができる。
【００１１】
第２の発明によれば、前記半屋外空間での環境を変化させる半屋外環境形成手段と、前記判断手段によって前記半屋外空間への移動が不適と判断された場合に、前記個人情報に基づいて、前記半屋外環境形成手段の駆動を制御する制御手段と、を備えた。
【００１２】
この第２の発明によれば、半屋外空間への移動が不適と判断されると、前記個人情報に基づいて、半屋外環境形成手段が駆動制御されるため、半屋外空間が移動に適した環境となるように環境を変化させることができる。これにより、移動に不適であっても、その後に、適する環境へ変化させることができ、半屋外空間の利用をより一層促進することができる。
【００１３】
第３の発明によれば、前記建物の利用者によって個別に所持され、その所持する利用者に付与される個別の識別情報と、利用者ごとの前記半屋外空間の環境に関する嗜好情報とが記憶された携帯型通信装置を備え、前記判断手段は、前記識別情報を取得した場合に前記移動の適否を判断するようにし、また、前記制御手段は、前記個人情報取得手段が取得した前記個人情報としての前記嗜好情報に基づいて、前記半屋外環境形成手段の駆動を制御するようにした。
【００１４】
この第３の発明によれば、識別情報が取得された場合に、半屋外空間への移動適否が判断される。その識別情報とともに、前記個人情報としての嗜好情報を取得して、その嗜好情報に基づいて、半屋外環境形成手段の駆動が制御される。これにより、個々の利用者の嗜好に合わせた環境に変化させることができる。
【００１５】
第４の発明では、前記建物の利用者が複数存在する場合に、その利用者間での優先順位を設定する設定手段を備え、前記個人情報取得手段が同時に複数の前記識別情報を取得した場合、前記制御手段は、前記優先順位により優先される利用者の嗜好情報に基づいて、前記半屋外環境形成手段を制御するようにした。
【００１６】
この第４の発明によれば、同時に複数の識別情報を取得した場合に優先される利用者を設定し、その優先利用者の嗜好情報に合わせた環境に変化させることができる。これにより、優先基準がないために、複数の利用者の嗜好を調整する必要が生じて制御が混乱するといった不都合を抑制できる。
【００１７】
第５の発明では、前記建物の利用者が前記半屋外空間への移動する時刻又は時間帯を予測する移動予測手段を備え、前記制御手段は、前記予測された時刻又は時間帯に、前記半屋外環境形成手段の駆動を制御するようにした。
【００１８】
この第５の発明によれば、移動が不適と判断された後に半屋外空間の環境変化がなされるだけでなく、その判断前に予め環境が変化されることになる。これより、利用者が半屋外空間へ移動しようとする場合に、所望する環境も変化することを待つことなく、半屋外空間へ移動できて便利となる。
【００１９】
なお、前記半屋外環境形成手段は、具体的には、前記半屋外空間に向けて水を噴霧する水噴霧手段を採用することができる。これにより、半屋外空間に水が噴霧されることにより、半屋外空間の気温を低下させたり、湿度を高めたりする効果が得られる。
【００２０】
また、水噴霧手段に代えて、又はそれとともに、前記半屋外空間に向けて香りを発生させる香り発生手段を採用してもよい。香りを発生させることにより、リラクゼーション効果やリフレッシュ効果等が得られる。この場合、香りの種類によって得られる効果も異なるし、利用者の嗜好する香りの種類も異なるため、数種類の香り発生源を有して、その中から選択的に特定種類の香りを発生させることが好適となる。
【００２１】
さらに、水噴霧手段及び香り発生手段に代えて、又はそれとともに、前記半屋外空間に風を発生させる風発生手段を採用してもよい。これにより、無風状態の中で強制的に風を発生させて、涼しさを確保することができる。この場合、快適さを感じる風量や風向きに関する嗜好は利用者によって異なるため、風量の強弱や風向き（足元、上向き、中段等）を調整可能とすることが好適となる。
【００２２】
さらにまた、前記半屋外空間は屋根部を有している場合であれば、前記半屋外空間の天井部分に設けられてその下方へシャワー状に水を降らせる降水手段を採用してもよい。これにより、シャワー状の降水が水によるカーテンとなって半屋外空間が目隠しされるため、そこでのプライバシーを確保することができる。
【図面の簡単な説明】
【００２３】
【図１】バルコニー及びそれに隣接する屋内空間部を示す建物の概略縦断面図。
【図２】バルコニー環境形成システムにおける制御の流れを示すフローチャート。
【図３】バルコニーの別例と、環境変化させる装置の別例を示す建物の概略縦断面図。
【発明を実施するための形態】
【００２４】
以下に、本発明の制御システムについて、その一実施形態を説明する。
【００２５】
前提として、ここでは、半屋外空間としてバルコニーを想定し、そのバルコニーを有する住宅等の建物に、複数人（例えば、同居する家族）の利用者（ユーザ）が存在するものとする。また、この建物はバルコニー環境形成システムを有している。バルコニー環境形成システムは、バルコニーでの環境を変化させるだけでなく、屋内からバルコニーへ移動することの適否を判断する構成が付与されているものとする。
【００２６】
図１は、バルコニー及びそれに隣接する屋内空間部を示す概略縦断面図である。図１には、本実施形態におけるバルコニー環境形成システムのシステム構成も、併せて図示されている。
【００２７】
図１に示されているように、建物１１の上階部分には屋内空間部１２と、その屋内空間部１２と横並びで隣接するバルコニー１３とが設けられている。屋内空間部１２とバルコニー１３とは外壁部１４によって仕切られており、その外壁部１４には比較的大開口の窓部１５が設けられている。この窓部１５を利用して、屋内空間部１２とバルコニー１３との間を建物利用者が行き来できるようになっている。
【００２８】
ちなみに、図１の図示では、最上階部分に屋内空間部１２及びバルコニー１３が設けられているが、これらが建物１１の中階部分に設けられてもよい。また、屋根部１６もフラット屋根とされているが、傾斜屋根であってもよい。
【００２９】
バルコニー１３の腰壁部１３ａには、バルコニー１３の環境を変化させるべく、ミスト発生装置２１、香り発生装置２２及びファン装置２３が設けられている。これら各装置２１〜２３は半屋外環境形成手段に相当する。
【００３０】
ミスト発生装置２１は、バルコニー１３の空間領域に向けて、その有する噴射ノズルから水（温水又は冷水）を霧吹きのように噴霧するものである。夏季に冷水をミスト噴霧すれば、バルコニー１３の気温を低下させたり、涼しさを確保したりすることが可能となる。また、冬季にミスト噴霧すれば、バルコニー１３での湿度を高めることが可能となる。
【００３１】
香り発生装置２２は、当該香り発生装置２２から発生する香りによって、人に対するリラクゼーション効果やリフレッシュ効果等の各種効果を期待できる。香りそのものが有する効果は種類によって異なるし、香りに関する嗜好もユーザごとに異なる。そのため、この香り発生装置２２では数種類の香り発生源を有しており、その中から選択的に特定種類の香りを発生させることが可能となっている。
【００３２】
ファン装置２３は、バルコニー１３に強制的に風を起こすものであり、これにより涼しさを確保することができる。快適さを感じる風量や風向きに関する嗜好がユーザごとに異なるため、風量の強弱や風向き（足元、上向き、中段等）を調整することが可能となっている。
【００３３】
上記各装置２１〜２３は、コントローラ３１と接続されている。コントローラ３１は、ＣＰＵ及びメモリ等を含んで構成されるマイクロコンピュータを有しており、例えば、屋内空間部１２の内壁に設置された操作装置３２に内蔵されている。上記各装置２１〜２３は、それぞれコントローラ３１によりその駆動が制御される。このコントローラ３１による駆動制御により、上記各装置２１〜２３を用いてバルコニー１３の環境を様々な状態に変化させる。このため、コントローラ３１は制御手段に相当する。
【００３４】
このように、バルコニー１３の環境を変化させる制御を行う前提として、コントローラ３１は、屋内空間部１２からバルコニー１３への移動（案内）することの適否を判断するようになっている。その適否判断によって、バルコニー１３への移動が不適であると判断した場合に、バルコニー１３が所望の環境状態となるように制御する。このため、コントローラ３１は判断手段でもある。
【００３５】
移動適否の判断や環境変化の制御を実行するためには、バルコニー１３の環境状態を把握する必要がある。このため、バルコニー１３の腰壁部１３ａには、そのバルコニー１３における気温、湿度、風の状態等の環境情報を取得する環境情報取得装置３４が設けられている。この環境情報取得装置３４は、半屋外環境情報取得手段に相当する。環境情報取得装置３４はコントローラ３１と接続されており、コントローラ３１は環境情報取得装置３４で取得した環境情報に基づいて、バルコニー１３における環境状態を把握する。
【００３６】
また、移動適否の判断及び環境変化の制御は、ユーザが個別に有する識別情報を受信したことをトリガとして実行される第１の場合と、ユーザによってボタン操作がなされたことをトリガとして実行される第２の場合とがある。
【００３７】
前者（識別情報受信がトリガとなる第１の場合）のための構成として、複数のユーザによって携帯機Ｋがそれぞれ所持されるようになっている。携帯型通信装置としての携帯機Ｋは小型のもので、携帯しても邪魔になりにくく、かつ常備しやすいものとなっている。例えば、スマートキーシステムで使用される電子キー、携帯電話、通信機能を有するＩＣカード、ＩＣタグ等を携帯機Ｋとして用いるることが可能である。ユーザごとに、形式・形態の異なる携帯機Ｋを使用することも可能である。
【００３８】
この携帯機Ｋは、屋内空間部１２に設けられた無線通信装置３３との間で無線通信が可能となっている。また、携帯機Ｋはメモリを有しており、そのメモリには、それぞれの所有者ごとに異なる個別の識別情報と、所有者ごとに登録されるユーザ嗜好情報が記憶されている。
【００３９】
識別情報は、少なくとも本システムで認証されるユーザであって、かつ認証対象とされる複数のユーザが個別に認識可能となる情報となっている。また、ユーザ嗜好情報には、好みの香りや、快適さを感じる環境状態に関して任意に設定される環境情報が含まれる。この第１の場合においては、ユーザ嗜好情報が個人情報に相当し、それを取得する前記無線通信装置３３が個人情報取得手段に相当する。
【００４０】
快適さを感じる環境状態としては、例えば、気温、湿度、風向き、風量等が考えられる。そのうち、気温、湿度及び風量等の定量化が可能なものについては、季節に応じて複数の段階に分けて設定されるようになっている。例えば、夏季における気温については、「１．２５℃未満」、「２．２５〜２８℃」「３．２８℃超」というようにである。そのユーザ嗜好情報は、各ユーザの入力操作によって携帯機Ｋのメモリに登録され、必要に応じて更新される（書き換えられる）。具体的には、携帯機Ｋに設けられた設定入力部の入力操作によって登録及び更新される。なお、メモリとしては、内蔵メモリの外に、メモリカード等の出し入れ可能な記憶媒体であってもよい。
【００４１】
携帯機Ｋとの間で無線通信が行われる前記無線通信装置３３は、コントローラ３１に接続されている。コントローラ３１は、この無線通信装置３３より定期的にリクエスト信号を送信するようになっている。このリクエスト信号の受信エリアは、屋内空間部１２の中でもバルコニー１３へ通ずる窓部１５周辺を少なくとも含む領域となっている。携帯機Ｋはそのリクエスト信号の受信エリアに進入した際に、当該リクエスト信号に応答して識別情報とユーザ嗜好情報とを送信する。
【００４２】
無線通信装置３３において、建物１１のユーザが有する識別情報を受信することにより、コントローラ３１は、移動適否判断及び環境を変化させる制御を実行する。また、同様に受信したユーザ嗜好情報に基づいて、前述したミスト発生装置２１、香り発生装置２２及びファン装置２３の各装置２１〜２３を制御して、バルコニー１３の環境を好適な状態に変化させる。
【００４３】
ちなみに、複数のユーザ間では、例えば、家族の中で父親を最優先にするといったように、優先順位が設定されている。ユーザ嗜好情報に含まれる各種情報が重複して認識された場合、コントローラ３１では、複数の中での最優先ユーザの情報が優先されるようになっている。この優先順位は、操作装置３２に設けられた設定入力部の入力操作により、ユーザにより適宜設定され、その設定情報がコントローラ３１のメモリに記憶される。このため、コントローラ３１は設定手段にも相当する。
【００４４】
一方、後者（ボタン操作がトリガとなる第２の場合）のための構成として、前記操作装置３２には、システムの制御（移動適否判断と環境を変化させる制御の実行）開始を要求する要求ボタン３２ａが設けられている。このようなボタン操作がなされるのは、主として前記携帯機Ｋをユーザが所持していない場合であり、そのような場合はユーザ嗜好情報を取得できない。そこで、屋内空間部１２でのユーザの生体情報（体表面温度や脈拍等）が、移動適否の判断要素となる。つまり、この第２の場合では、ユーザの生体情報が個人情報となる。
【００４５】
かかる生体情報を取得すべく、屋内空間部１２には、その屋内空間部１２に存在するユーザの生体情報を取得する生体情報取得装置３５が設置されている。この生体情報取得装置３５が、生体情報取得手段に相当する。生体情報取得装置３５は、屋内空間部１２の中でも、バルコニー１３へ通ずる窓部１５周辺を少なくとも含む領域が情報取得範囲となるように設置されている。そして、コントローラ３１は、屋内空間部１２からバルコニー１３へ移動しようとするユーザの生体情報を把握する。
【００４６】
次に、本実施形態のバルコニー環境形成システムにおいて、コントローラ３１が実行する制御の流れを、図２のフローチャートに基づいて説明する。この制御処理は、所定の時間周期で実行されるようになっている。
【００４７】
図２において、ステップＳ１０１では、建物１１のユーザに固有の識別情報を取得したか否かを判定する。この場合、無線通信装置３３より送信したリクエスト信号に応答して識別情報を取得すると、その認証処理を行う。建物１１のユーザが所持する携帯機Ｋより、ユーザに固有の識別情報を取得した場合、認証ＯＫとし、判定を肯定して次のステップＳ１０２に進む。ステップＳ１０２では、複数のユーザの識別情報を同時に取得したか否かを判定する。その識別情報の同時取得がなく、単独の識別情報を取得しただけであれば判定を否定し、次のステップＳ１０３に進む。そのステップＳ１０３では、識別情報とともにリクエスト信号に応答した携帯機Ｋより、ユーザ嗜好情報を取得する。その後、ステップＳ１０４に進み、環境情報取得装置３４により、バルコニー１３における気温、湿度、風の状態等の環境情報を取得する。
【００４８】
一方、最初のステップＳ１０１にて、識別情報を取得しなかった場合、つまり、識別情報を全く取得しないとか、取得した識別情報がユーザ固有の識別情報でなかった場合には、認証ＮＧとし、判定を否定してステップＳ１０５に進む。ステップＳ１０５では、操作装置３２の要求ボタン３２ａが操作されたか否かを判定する。操作されていない場合は、そのまま処理を終了する。このため、ユーザ固有の識別情報を取得せず、かつ要求ボタン３２ａの操作もなされていない場合は処理を終了する。これに対し、要求ボタン３２ａが操作されている場合は、判定を肯定してステップＳ１０６に進む。ステップＳ１０６では、生体情報取得装置３５より、屋内空間部１２の窓部１５の周辺に存在するユーザの体表面温度等の生体情報を取得する。その後、前記ステップＳ１０４に進んで、バルコニー１３の環境情報を取得する。
【００４９】
また、前記ステップＳ１０２にて、複数のユーザの識別情報を同時に取得した場合には、判定を肯定してステップＳ１０７に進む。ステップＳ１０７では、設定された優先順位にしたがって、同時取得した識別情報の中から、最優先とされる識別情報を判断し、その識別情報とともにユーザ嗜好情報を取得する。その後、前記ステップＳ１０４に進んで、バルコニー１３の環境情報を取得する。
【００５０】
バルコニー１３の環境情報を取得後、ステップＳ１０８に進み、そこでは、屋内空間部１２からバルコニー１３への移動の適否を判断する。この移動適否の判断は、前記第１の場合、つまり識別情報及びユーザ嗜好情報を取得した場合には、ユーザ嗜好情報とバルコニー１３の環境情報とに基づいて行う。バルコニー１３の環境情報がユーザ嗜好情報に合致していれば、移動に適していると判断する。一方、両者の情報が合致していない場合は、移動に適していないと判断する。
【００５１】
なお、この判断においては、香りに関するユーザ嗜好情報については考慮しない。嗜好情報として登録された香りそのものは自然の状態で存在していないため、これも判断要素とすれば、この移動適否の判断では必ず移動不適と判断されることになってしまうからである。
【００５２】
例えば、所定のユーザにおいて、「夏季での気温：２５〜２８℃、風量：中、風向き：中段、香り：ラベンダー」というようなユーザ嗜好情報が、その所持する携帯機Ｋのメモリに登録されているとする。この場合、バルコニー１３の環境情報が、「気温３０℃」であったり、「風量微風」であったりすると、ユーザ嗜好情報と合致しない。この場合、移動に適していないと判断する。
【００５３】
これに対し、前記第２の場合、つまりユーザ固有の識別情報取得に代えて、生体情報を取得した場合には、その生体情報とバルコニー１３の環境情報とに基づいて、移動の適否判断を行う。この場合、前述したユーザ嗜好情報を取得した第１の場合とは異なり、バルコニー１３の環境が、取得したユーザの生体情報にとって快適化か、という基準によって判断する。
【００５４】
例えば、風呂上り等によって体が火照っているため、体表面温度が高いというユーザの生体情報を取得したとする。この場合、気温が２８℃を下回り、風量が中程度にある状態を、ユーザにとって快適であると判断する。このため、バルコニー１３の環境がこのような状態となっていない、つまり「気温３０℃」であったり、「風量微風」であったりすると、快適ではなく、移動に適していないと判断する。
【００５５】
移動に適していないと判断した場合は、続くステップＳ１０９の判定を否定してステップＳ１１０に進む。ステップＳ１１０ではバルコニー１３の環境を変化させ、続くステップＳ１１１で、環境を変化させる制御が開始されたことを、操作装置３２に設置されたスピーカ等を用いてユーザに対して報知する。その後、本処理を終了する。
【００５６】
前記ステップＳ１１０において、環境を変化させることの内容として、前記第１の場合には、ユーザ嗜好情報に合致するように、ミスト発生装置２１、香り発生装置２２及びファン装置２３を駆動制御する。前述の例示においては、ミスト発生装置２１において冷水ミストを噴霧させ、気温低下や涼しさの演出を行う。それとともに、ラベンダーの香りを選択して発生させ、ファン装置２３を駆動して風量不足を補う。一方、前記第２の場合には、生体情報にとって快適な環境となるように、同様に、各装置２１〜２３を駆動制御する。前述の例示においては、ミスト発生装置２１において冷水ミストを噴霧させ、気温低下や涼しさの演出を行う。それとともに、ファン装置２３を駆動して風量不足を補う。
【００５７】
前記ステップＳ１０８での移動適否判断において、移動に適していると判断した場合には前記ステップＳ１０９の判定を肯定し、前記ステップＳ１１１に進んで本処理を終了する。バルコニー１３では、すでに移動に適した環境になっている以上、前記ステップＳ１１０において、そこでの環境を変化させる必要がないからである。この場合、ステップＳ１１１では、移動に適した状態にある旨を、操作装置３２に設置されたスピーカ等を用いてユーザに対して報知する。
【００５８】
以上の構成により、以下に示す有利な効果が得られる。
【００５９】
（１）携帯機Ｋより識別情報を取得した場合、又は要求ボタン３２ａが操作された場合に、バルコニー１３への移動の適否判断が行われる。この判断は、ユーザ嗜好情報又は生体情報と、現状のバルコニー１３における環境情報との比較に基づいて行われる。これにより、移動に適していると判断されれば、その旨がユーザに報知されて移動が促される。これにより、建物１１のユーザを屋内空間部１２から、快適となっているバルコニー１３へ適切に誘導できる。
【００６０】
（２）移動適否の判断において、移動が不適と判断されると、ユーザ嗜好情報と合致するように、又は生体情報との関係で快適となるように、環境を変化させる各装置２１〜２３を駆動制御する。このため、バルコニー１３が快適な環境となるように、積極的に環境を変化させることができ、バルコニー１３の利用をより一層促進できる。
【００６１】
（３）その識別情報とともにユーザ嗜好情報を取得し、その嗜好情報に合致するように、環境を変化させる各装置２１〜２３の駆動を制御する。これにより、個々のユーザの嗜好に合わせてバルコニー１３の環境を変化させることができ、バルコニー１３が娯楽・休息等のスペースとして利用しやすくなる。
【００６２】
（４）同時に複数の識別情報を取得した場合に優先されるユーザが設定されているため、その優先ユーザの嗜好情報に合わせた環境に変化させることができる。これにより、優先基準がないために、複数のユーザの嗜好を調整する必要が生じて制御が混乱するといった不都合を抑制できる。
【００６３】
（５）環境を変化させるために、ミスト発生装置２１、香り発生装置２２及びファン装置２３が、バルコニー１３に設けられている。ミスト発生装置２１により、ミスト状に水が噴霧されることで、バルコニー１３の気温を低下させたり、湿度を高めたりする効果が得られる。また、香り発生装置２２により、ユーザの嗜好に合わせて香りを選択的に発生させることで、リラクゼーション効果やリフレッシュ効果等が得られる。さらに、ファン装置２３により、無風状態の中で強制的に風を発生させて、風量や風向きを嗜好に合わせて調整しながら、涼しさを確保できる。
【００６４】
なお、以上説明した実施の形態に限らず、例えば以下に別例として示した形態で実施することもできる。
【００６５】
（ａ）上記実施の形態では、半屋外空間としてバルコニー１３を想定したが、軒４１（屋根部に相当）を有するバルコニー１３（後述する図３参照）、ベランダ、テラス等であってもよい。軒４１を有するバルコニー１３であれば、その軒４１を利用して、環境変化させる各装置２１〜２３や環境情報取得装置３４を設置するようにしてもよい。
【００６６】
（ｂ）上記実施の形態では、バルコニー１３の環境を変化させる装置として、ミスト発生装置２１、香り発生装置２２及びファン装置２３が設けられているが、除湿装置、ヒータ等の暖房器具、バルコニー１３の床に水を流す流水装置等が設けられてもよい。除湿装置は湿度を低下させることが可能であるし、暖房器具があれば冬季でも快適な環境に変化させることが可能となる。また、夏季において、バルコニー１３の床に水を流せば、打ち水をしたのと同様の効果として、気温を低下させる効果が得られる。
【００６７】
その他、図３に示されているように、バルコニー１３に軒４１が設けられている場合には、その軒先部分にシャワーノズル４２及びバルブ装置４３とを有するシャワー装置を設けて、それをバルコニー１３の環境を変化させる装置としてもよい。この場合、軒天井における腰壁部１３ａの上端上方となる箇所において、シャワーノズル４２が腰壁部１３ａの延びる方向に沿って多数設置されている。そして、腰壁部１３ａには、その上端部に水受け部４４が設けられ、シャワーノズル４２から下方に向けて水をシャワー状に降らせ、その落下する水をここで受けるようになっている。水受け部４４に溜まった水は、腰壁部１３ａの内部及び下階部分の屋外部分に設けられた排水管４５を通じて排水される。このようなシャワー装置が設けられることにより、シャワー状の降水が水のカーテンとなってバルコニー１３、ひいては屋内空間部１２が目隠しされるため、プライバシーを確保することができる。
【００６８】
（ｃ）上記実施の形態では、バルコニー環境形成システムにおいて、ただ環境を変化させるのではなく、それに先立って移動適否の判断がなされるが、移動適否の判断を行うだけのシステム構成としてもよい。つまり、バルコニー１３における現状の環境が、ユーザの嗜好又は生体情報との関係で移動に適しているか否かを判断し、その判断をユーザに報知するシステムである。もっとも、ユーザの嗜好に合致する環境や、生体情報との関係で快適となる環境へ積極的に変化させることができる構成を有する方が、バルコニー１３での快適さを追求する上では好ましい。
【００６９】
（ｄ）上記実施の形態では、識別情報の取得、又は要求ボタン３２ａの操作により、移動適否の判断がなされ、その後にバルコニー１３の環境を変化させているが、ユーザの行動を事前に予測して、バルコニー１３での環境変化を予め行うようにしてもよい。上記実施形態では、各装置２１〜２３を用いて環境を変化させている間、バルコニー１３への立ち入りを一時的に躊躇する場合もあるが（例えば、ミスト噴霧中）、そのような待ち時間なくバルコニー１３へ立ち入ることができる点で便利である。
【００７０】
この場合、取得したユーザ嗜好情報に基づいて、環境を変化させる各装置２１〜２３を駆動制御するたび、コントローラ３１はその有するメモリにその駆動履歴を記憶する。その駆動履歴情報を利用して、ユーザごとにバルコニー１３へ立ち入る時刻や時間帯を予測することが考えられる。また、前記無線通信装置３３を建物１１の屋内各所に設置して、各無線通信装置３３における識別情報の受信状況に基づいて、建物１１内でのユーザの行動パターンを把握する。その行動パターンを利用して、ユーザごとにバルコニー１３へ立ち入る時刻や時間帯を予測するようにしてもよい。そして、その予測した時刻や時間帯において、バルコニー１３がユーザの嗜好に合致した環境、ユーザの生体情報との関係で快適さとなるように環境を変化させる。ここでは、コントローラ３１が移動予測手段に相当する。
【００７１】
（ｅ）上記実施の形態において、所有者ごとに登録されるユーザ嗜好情報は、一日における時間帯、季節、曜日ごとにその登録内容を変更してもよい。例えば、起床時間帯に合わせて、リフレッシュ効果を有する香り、風量として微風を設定すれば、起床時にバルコニー１３へ立ち入ることで、目覚ましを促す効果が得られる。
【符号の説明】
【００７２】
１３…バルコニー（半屋外空間）、２１…ミスト発生装置（半屋外環境形成手段）、２２…香り発生装置（半屋外環境形成手段）、２３…ファン装置（半屋外環境形成手段）、３１…コントローラ（判断手段、制御手段、設定手段）、３３…無線通信装置（個人情報取得手段）、３４…環境情報取得装置（半屋外環境情報取得手段）、３５…生体情報取得装置（個人情報取得手段）、Ｋ…携帯機（携帯型通信装置）。
【図１】
2011236690.tif 000003
【図２】
2011236690.tif 000004
【図３】
2011236690.tif 000005